(57)【特許請求の範囲】
【請求項１】
紐体を係止する紐係止具であって、
可撓性を有する板状体を備え、
前記板状体は、
板面の中央又は略中央に放射状に複数の切り込みを入れて区画された複数の爪部と、
前記切り込みと連通して周縁に開口し、前記紐体が単体で通過可能な幅を有するスリット部とを備えるとともに、平面視で雫形状を成しており、
前記スリット部は、前記雫形状の三角部の頂点と円弧部の円弧の中点とを結ぶ仮想直線上に形成され且つ前記円弧部の周縁に開口し、
前記複数の切り込みは、前記スリット部の幅よりも細い幅に形成されているとともに、当該複数の切り込みのうちの１つが前記円弧部側の前記仮想直線上に位置し、
前記スリット部の内側端部は、前記仮想直線上に位置する切り込みの外側端部と連結する構成となっていることを特徴とする紐係止具。
【請求項２】
請求項１において、
前記スリット部の内側端部は、先細り形状になっていることを特徴とする紐係止具。
【請求項３】
紐体を係止する紐係止具であって、
可撓性を有する板状体を備え、
前記板状体は、
板面の中央又は略中央に放射状に複数の切り込みを入れて区画された複数の爪部と、
前記切り込みと連通して周縁に開口し、前記紐体が単体で通過可能な幅を有するスリット部とを備え、
前記複数の切り込みは、前記スリット部の幅よりも細い幅に形成されており、
前記スリット部の内側端部は、前記複数の切り込みのうちの１つの外側端部と連結する構成となっていることを特徴とする紐係止具。
【請求項４】
請求項３において、
前記スリット部の内側端部は、先細り形状になっていることを特徴とする紐係止具。
【請求項５】
紐体を係止する紐係止具であって、
可撓性を有する板状体を備え、
前記板状体は、
板面の中央又は略中央に放射状に複数の切り込みを入れて区画された複数の爪部と、
前記切り込みと連通して周縁に開口し、前記紐体が単体で通過可能な幅を有するスリット部とを備えるとともに、平面視で雫形状を成しており、
前記スリット部は、
前記雫形状の三角部の頂点と円弧部の円弧の中点とを結ぶ仮想直線上に形成され且つ前記円弧部の周縁に開口していることを特徴とする紐係止具。
【請求項６】
請求項５において、
前記板状体には、前記切り込みの放射中心に前記紐体の直径の２倍の長さ未満の径を有する貫通穴が設けられており、
前記スリット部は、前記貫通穴と連通している紐係止具。
【発明の詳細な説明】
【技術分野】
【０００１】
本発明は、紐を係止する紐係止具に関する。
【背景技術】
【０００２】
従来、住宅の建築現場や補修工事現場などでは高所での作業のために足場が組まれる。そして、落下防止のために足場を覆い隠すようにしてメッシュシート等のシート状部材が設けられている。ここで、図５（ａ）及び（ｂ）に示すように、例えば、メッシュシート１６０を、足場を構成する支柱１５０に固定する際は、支柱１５０を左右に挟む２枚のメッシュシート１６０のそれぞれの支柱１５０側の端部に設けられた紐通し穴１６０ｈに支柱１５０の外周を囲むようにして１本の紐１３０を通す。そして、正面側で紐１３０の両端部を結ぶことでメッシュシート１６０を支柱１５０に固定している。即ち、メッシュシート１６０は、手作業で支柱１５０に結び付けられており、撤去時の取り外し作業も含めて大きな手間がかかっていた。
【０００３】
一方、紐を係止する器具として、例えば、特許文献１に記載の紐止め具が開示されている。かかる紐止め具は、成型品の中央付近に少なくとも２本以上の放射線状の切り口溝を有し、切り口溝を貫通した紐は切り口溝を押し広げ反発力を受け爪部の生地と紐との摩擦抵抗により固定できるように構成されている。
【先行技術文献】
【特許文献】
【０００４】
【特許文献１】特開平１０−３０４９１１号公報
【発明の概要】
【発明が解決しようとする課題】
【０００５】
しかしながら、特許文献１記載の技術にあっては、紐を結ばずに固定できる点は便利であるが、例えば、１本の紐の両端部を止めて紐を輪状にする場合に、反発力を受けながら２本分に相当する紐を切り口溝に押し込んで貫通させる必要がある。これは紐を取り外す際にも同様で反発力に逆らって紐を抜き取る必要があり、紐を結んで固定するよりも手間のかかる作業となる恐れがあった。
【０００６】
そこで、本発明は、このような従来の技術の有する未解決の課題に着目してなされたものであって、結ぶことなく紐を簡易に輪状に係止することができる紐係止具を提供することを目的としている。
【課題を解決するための手段】
【０００７】
〔発明１〕  上記目的を達成するために、発明１の紐係止具は、紐体を係止する紐係止具であって、可撓性を有する板状体を備え、前記板状体は、板面の中央又は略中央に放射状に切り込みを入れて区画された複数の爪部と、前記切り込みと連通して周縁に開口し、前記紐体が単体で通過可能な幅を有するスリット部とを備える。
【０００８】
〔発明２〕  さらに、発明２の紐係止具は、発明１の紐係止具において、前記板状体には、前記切り込みの放射中心に前記紐体の直径の２倍の長さ未満の径を有する貫通穴が設けられており、前記スリット部は、前記貫通穴と連通している。
〔発明３〕  さらに、発明３の紐係止具は、発明１又は２の紐係止具において、前記板状体は、平面視で雫形状を成しており、前記スリット部は、前記雫形状を構成する円弧部の周縁に開口する。
【発明の効果】
【０００９】
以上説明したように、発明１の紐係止具によれば、スリット部を介して輪状にした紐体の両端部を爪部を区画する切り込みに差し込んで、その後、板面から離間する方向に紐体を引っ張ることで、紐体の両端部を結ぶことなく紐体を簡易に輪状に係止することができる。
【００１０】
さらに、発明２の紐係止具によれば、貫通穴によって、紐体を、スリット部を介して爪部を区画する切り込みの放射中心へと容易に導くことができる。
さらに、発明３の紐係止具によれば、円弧部とは反対側の略三角形状の部分を手で持って係止作業を行える構成としたので、紐係止具１を手でしっかりと持って係止作業を行うことができる。
【図面の簡単な説明】
【００１１】
【図１】本実施の形態に係る紐係止具１の一構成例を示す平面図である。
【図２】（ａ）及び（ｂ）は、紐係止具１にて紐体３０を係止する手順を説明するための図である。
【図３】紐係止具１にて支柱５０にメッシュシート６０を固定した状態を示す図であり、図３（ａ）は支柱５０を側面視した図、図３（ｂ）は支柱５０を正面視した図である。
【図４】（ａ）、（ｂ）及び（ｃ）は、変形例に係る紐係止具１Ａ、１Ｂ及び１Ｃの一構成例を示す図である。
【図５】（ａ）及び（ｂ）は、足場を構成する支柱１５０にメッシュシート１６０を固定する従来の手順を説明するための図である。
【発明を実施するための形態】
【００１２】
〔構成〕
以下、本発明の実施の形態を説明する。図１乃至図４は、本実施の形態を示す図である。
まず、本実施の形態の構成を説明する。
図１は、本実施の形態に係る紐係止具１の一構成例を示す平面図である。
紐係止具１は、主として１本の紐体を輪状に係止するものである。
【００１３】
紐係止具１は、図１に示すように、平面視で雫形状を成す板状の板状体１０と、板状体１０の略中央部に設けられた貫通穴１１と、貫通穴１１と連通するスリット部１２と、貫通穴１１を中心に放射状に切り込み１３を入れて区画されてなる８つの爪部１４とを備えている。
【００１４】
板状体１０は、例えば、天然ゴム、合成ゴム、エラストマー、シリコン、プラスチックなどの可撓性（弾性）を有する樹脂材料から構成されている。なお、樹脂材料に限らず、同様の性質を有する材料であれば他の材料を用いる構成としてもよい。
貫通穴１１は、板状体１０の雫形状を構成する円弧部１０ｃの円中心を中心に板面を貫通して設けられており、係止対象の紐体の直径の２倍の長さよりも短い直径の円形の穴から構成されている。
【００１５】
スリット部１２は、貫通穴１１から板状体１０の円弧部１０ｃの短手方向の中央端に亘って板状体１０を直線状に切り抜くことで、円弧部１０ｃ周縁に開口して設けられている。加えて、係止対象の紐体が単体で通ることが可能で且つ貫通穴１１の直径よりも短い幅に構成されている。即ち、スリット部１２を通ることが可能で、自身の直径の２倍の長さが貫通穴１１の直径の長さよりも長い紐体が係止対象の紐体となる。
【００１６】
８つの爪部１４は、貫通穴１１から径方向に向かって延びる放射状の７本の切り込み１３と、スリット部１２とによって区画されており、それぞれが平面視で略台形状を成している。具体的に、略台形状の下底側の辺部分が板状体１０と一体に接続され、それ以外の輪郭を形成する辺部分が切り離された状態となっている。なお、爪部１４の数は８つに限らず、７つ以下又は９つ以上に構成してもよい。
【００１７】
次に、上記構成の紐係止具１によって、１本の紐体３０の両端部を係止する方法を説明する。ここで、図２（ａ）及び（ｂ）は、紐係止具１にて紐体３０を係止する手順を説明するための図である。
図２（ａ）に示すように、１本の紐体３０の両端部の一方及び他方を順番に、紐係止具１のスリット部１２にその開口部から貫通穴１１まで通す。このとき、貫通穴１１は、紐体３０の直径の２倍よりも短い長さの直径に構成されているため、紐体３０の両端部分を収容しきれない状態となる。
【００１８】
引き続き、図２（ｂ）に示すように、紐係止具１を手で押さえて紐体３０の両端部を紐係止具１の板面から離間する方向に引っ張る。または、被固定部に巻き回した紐体３０の両端部を手で引っ張りながら紐係止具１を被固定部側へと接近させる。これにより、８つの爪部１４が紐体３０の外周部との間の摩擦抵抗によって板面から起立するように撓む（弾性変形する）。この撓みにより生じる弾性力によって紐体３０の外周部が押さえつけられて紐体３０の両端部が紐係止具１に固定される。なお、紐体３０から紐係止具１を取り外すときは、逆の手順となる。即ち、爪部１４の変形を元に戻して、紐体３０の両端部をスリット部１２から片方ずつ抜き取る。
【００１９】
次に、紐係止具１の具体的な使用例について説明する。ここで、図３は、紐係止具１にて支柱５０にメッシュシート６０を固定した状態を示す図であり、図３（ａ）は支柱５０を側面視した図、図３（ｂ）は支柱５０を正面視した図である。
紐係止具１は、図３（ａ）に示すように、工事現場の足場を覆うメッシュシート６０を、紐体３０によって足場を構成する支柱５０に固定する際に用いることができる。
【００２０】
即ち、２枚のメッシュシート６０のそれぞれの支柱５０側の端部に設けられた紐通し穴６０ｈに支柱５０の外周を囲むようにして１本の紐体３０を通した後に、図３（ａ）及び（ｂ）に示すように、支柱５０の正面側にて紐体３０の両端部を紐係止具１にて係止する。即ち、紐体３０の両端部を片方ずつスリット部１２に通して貫通穴１１側へと押し込み、その後、紐体３０の両端部を手前側に手で引っ張りながら紐係止具１を支柱５０へと接近させる。これにより、８つの爪部１４が起立し、その弾性力にて紐体３０の外周部が押さえつけられ、輪状の紐体３０の両端部が紐係止具１に固定される。図３（ｂ）に示す例では、紐体３０と支柱５０との間の隙間が大きい状態であるため紐係止具１を更に接近させて隙間を小さくする。このようにして、メッシュシート６０を、紐体３０及び紐係止具１にて支柱５０へと固定することができる。一方、撤去時に紐係止具１を紐体３０から取り外す際は、紐係止具１を支柱５０から離間する側に引っ張って、爪部１４を起立していない状態に戻し、その後、スリット部１２から紐体３０を抜き取る。
【００２１】
〔実施の形態の効果〕
次に、本実施の形態の効果を説明する。
本実施の形態では、紐係止具１を、平面視で雫形状を成す板状体１０を備え、板状体１０が、その雫形状の円弧部１０ｃ側の円中心を中心に板面を貫通して設けられた貫通穴１１と、貫通穴１１を中心に放射状に設けられた切り込み１３によって区画された複数の（８つの）爪部１４と、貫通穴１１と連通して板状体１０の円弧部１０ｃの周縁に開口するとともに、係止対象の紐体が単体で通過可能な幅を有するスリット部１２とを備える構成とした。
【００２２】
このような構成であれば、紐体３０の両端部を結ぶことなく紐体３０を簡易に輪状に係止することができる。加えて、爪部１４に対して、紐体３０の両端部の先端を押し付けて爪部１４を広げて紐体３０を貫通するといった煩わしい作業をすることなく、紐体３０の両端部をスリット部１２を介して貫通穴１１まで移動させ、その後、紐体３０の両端部を引っ張るだけ又は被固定部に巻き回した紐体３０を引っ張った状態で紐係止具１を被固定部に接近させるだけといった簡易な作業で紐体３０の両端部を係止することができる。
【００２３】
加えて、スリット部１２と連通する貫通穴１１によって、紐体３０を、スリット部１２を介して爪部１４を区画する切り込み１３の放射中心へと容易に導くことができる。
さらに、紐係止具１の円弧部１０ｃとは反対側が略三角形状（三角形部１０ｔ）となり、この部分を手で持って係止作業を行うことができる。これにより、例えば、親指の腹と中指の側面とで三角形部１０ｔの板面を両側から挟み、人差し指の腹側で三角形部１０ｔの辺部を押さえた状態で手に持つことができ、手でしっかりと持った状態で、係止作業をすることができる。
【００２４】
〔変形例〕
なお、上記実施の形態において、板状体１０に貫通穴１１を設け、貫通穴１１を中心に放射状に切り込み１３を設けるとともに、この切り込み１３と連通するスリット部１２を設けて板状体１０の一部（略中央部）を区画することで複数の爪部１４を形成する構成としたが、この構成に限らない。スリット部１２の構成や、爪部１４の構成、スリット部１２と爪部１４との接続構成等を他の構成としてもよい。以下、具体例を挙げて説明する。ここで、図４（ａ）、（ｂ）及び（ｃ）は、変形例に係る紐係止具１Ａ、１Ｂ及び１Ｃの一構成例を示す図である。
【００２５】
例えば、図４（ａ）の紐係止具１Ａに示すように、上記実施の形態の紐係止具１において、貫通穴１１を設けずに、円弧部１０ｃの円中心を放射中心として放射状に複数（この例では７本）の切り込み１３Ａを入れて板状体１０の一部を区画することで複数（この例では８つ）の爪部１４Ａを形成する。加えて、スリット部１２に代えて、先端部が複数の切り込み１３Ａの放射中心に向かって先細りして中心部と連結する形状のスリット部１２Ａを形成した構成としてもよい。この場合は、スリット部１２Ａが切り込み１３Ａのうちの１本の役割を兼任する。この構成であれば、スリット部１２Ａを通過できる直径の紐体を単体で係止することができる。
【００２６】
また、例えば、図４（ｂ）の紐係止具１Ｂに示すように、図４（ａ）のスリット部１２Ａに代えて、放射中心ではなくその手前の切り込み１３Ａの１つの端部に向かって先端部が先細りしてこの切り込み１３Ａに連結する形状のスリット部１２Ｂを形成する構成としてもよい。この構成であれば、爪部１４Ａを区画する切り込み１３Ａと接続するスリット部１２Ｂの接続部分の幅及び長さがスリット部１２Ａと比較して短くなるので、紐係止具１Ａと比較して、より強固に紐体を係止することができる。
【００２７】
また、例えば、図４（ｃ）の紐係止具１Ｃに示すように、図４（ｃ）のスリット部１２Ｂに代えて、先端部を先細りさせずに切り込み１３Ａの１つの端部に連結する構成のスリット部１２Ｃを設けた構成としてもよい。この構成であれば、爪部１４Ａを区画する切り込み１３Ａから、スリット部による幅広の切り込み部分が無くなるので、紐係止具１Ｂと比較して、より強固に紐体を係止することができる。
【００２８】
また、上記実施の形態及びその変形例において、紐係止具１を平面視で雫形状に構成したが、この構成に限らず、平面視で矩形状、楕円状、凸形状、団扇形状など他の形状としてもよい。
また、上記実施の形態及びその変形例において、スリット部を、三角形部１０ｔの頂点と円弧部１０ｃの中央部とを結ぶ直線状に構成したが、この構成に限らず、円弧部１０ｃの他の位置に開口する位置に設けてもよいし、直線状に限らず、例えば、クランク状や曲線状などの他の形状に構成してもよい。
【００２９】
また、上記実施の形態及びその変形例において、足場を構成する支柱５０にメッシュシート６０を固定する際の紐体３０に対して、本発明に係る紐係止具１を適用する例を説明したが、同様に紐体を輪状に係止する用途であれば他の目的に適用してもよい。また、輪状に係止する用途以外にも、２本の紐体の端部をまとめて係止するような用途にも適用することができる。
【符号の説明】
【００３０】
１，１Ａ，１Ｂ，１Ｃ…紐係止具、  １０…板状体、  １１…貫通穴、  １２，１２Ａ，１２Ｂ，１２Ｃ…スリット部、  １３，１３Ａ…切り込み、  １４，１４Ａ…爪部、  ３０，１３０…紐体、  ５０，１５０…支柱、  ６０，１６０…メッシュシート、  ６０ｈ，１６０ｈ…紐通し穴
【要約】
【課題】結ぶことなく紐を簡易に輪状に係止することができる紐係止具を提供する。
【解決手段】紐係止具１は、平面視で雫形状を成すとともに可撓性を有する板状体１０を備え、板状体１０は、円弧部１０ｃの円中心に設けられた、係止対象の紐体の直径の２倍の長さ未満の径を有する貫通穴１１と、貫通穴１１を中心に放射状に複数の切り込み１３を入れて区画された複数の爪部１４と、切り込み１３と連通して円弧部１０ｃ側の周縁に開口するとともに、係止対象の紐体が単体で通過可能な幅を有するスリット部とを備える。
【選択図】  図１【図１】
0006979243.tif 000002
【図２】
0006979243.tif 000003
【図３】
0006979243.tif 000004
【図４】
0006979243.tif 000005
【図５】
0006979243.tif 000006